(57)【要約】【課題】スイッチ操作のストローク設定及び反力設定の自由度を高めて、自然で良好な操作性を実現することができる。【解決手段】シリンダ部ＣＹＬＡ内に、ピストン体１１の軸部１１ｂが往復動作可能に挿通される。帯状弾性構成体１４は、その両端の固定部１４ａと湾曲した先端部１４ｃとの間の部分が伸縮部１４ｂとなっており、ガイド蓋１２を取り付けると、両固定部１４ａが、シリンダ部ＣＹＬＡの開口端部に相当する環状突設部７ａの前後部分にそれぞれ固定されると共に、先端部１４ｃが、ピストン体１１の先端部１１ｃから下方への押圧力を受ける。押下操作時には、伸縮部１４ｂが伸びることで、ピストン体１１に連動して先端部１４ｃが下降し、先端部１４ｃに設けた可動接点１５が固定接点１６と接触、離間することで、ピストン型スイッチＰＳＴＡのスイッッチング動作がなされる。【選択図】      図２
2004286973.tif 000002
【特許請求の範囲】
【請求項１】
押下操作部（１１ａ）を有するピストン体（１１）と、
前記ピストン体を往復動作可能に収容し、前記ピストン体の前記押下操作部方向に開口する開口端部（７ａ）を有するピストン動作室（ＣＹＬＡ）と、
固定端部と、移動部と、前記固定端部及び前記移動部を接続する伸縮自在な伸縮部とが弾性部材で一体に形成されて成る弾性構成体（１４）と、
前記弾性構成体の前記移動部に設けられた可動接点部（１５）と、
前記可動接点部に対向する位置に配置された固定接点部（１６）とを有し、
前記弾性構成体の前記固定端部を、前記ピストン動作室の前記開口端部近傍に固定すると共に、前記弾性構成体の前記移動部を、前記ピストン体の往方向における先端部に係合させ、前記ピストン体を押離操作したとき、前記弾性構成体の前記伸縮部が伸縮することによって、前記移動部が前記ピストン体に連動して往復動作し、前記可動接点部と前記固定接点部とが接離することでスイッチング動作がなされるように構成されたことを特徴とする電子楽器のピストン型スイッチ構造。
【請求項２】
前記弾性構成体の前記伸縮部は、互いに伸縮特性の異なる複数の部位から構成されることを特徴とする請求項１記載の電子楽器のピストン型スイッチ構造。
【請求項３】
前記弾性構成体の前記固定端部は、穴付き部材（１２）を前記ピストン動作室の前記開口端部に取り付けることで該開口端部に固定され、前記穴付き部材には、前記ピストン体の往復動作時における動作ガイド機能を果たすガイド穴が形成されていることを特徴とする請求項１または２記載の電子楽器のピストン型スイッチ構造。
【発明の詳細な説明】
【０００１】
【発明の属する技術の分野】
本発明は、管楽器等におけるピストン型操作子のような操作子を有し、該操作子の操作でスイッチング動作を行わせる電子楽器のピストン型スイッチ構造に関する。
【０００２】
【従来の技術】
従来、管楽器等の自然楽器を模して擬似的な楽音を電気的に発生させるようにした電子楽器が知られている。例えば、下記特許文献１では、トランペットに模して、ピストン型の３つのバルブスイッチ、及びマウスピース等を設け、バルブスイッチを指で押下して音高を指定すると共に、マウスピースに対する唇の押圧力を検出し、その検出した押圧力で倍音を切り替えることで、自然楽器の演奏操作感覚に極力近づけるようにしている。
【０００３】
この楽器では、バルブスイッチには、往復動作するピストン体（シャフト）の下降に対して弾性力を作用させるコイルスプリングを設け、ピストン体の接触端部が椀状のラバースイッチを押圧するようになっている。ラバースイッチは、基板に設けられた固定接点と、該固定接点に対向し、ゴム等の弾性体で半円形に形成された可動部の内面に取り付けられた可動接点とを備える。そして、指でピストン体を押下し、下降させると、ピストン体の接触端部によって可動部が押し下げられ、固定接点と可動接点との間が閉じられて、操作したバルブスイッチに対応するスイッチ信号が得られるようになっている。
【０００４】
【特許文献１】
実公平８−７４３２号公報
【０００５】
【発明が解決しようとする課題】
しかしながら、上記特許文献１の電子楽器におけるスイッチ構造では、音高指定のためのスイッチとしてラバースイッチを使用しているので、ピストン体のストロークの自由な設定が困難で、特に自然楽器のピストン型操作子に比しストロークが短い。しかも、ピストン体が可動部に当接した以降では、コイルスプリングに加えてラバースイッチによる反力がピストン体にかかり、反力変化が自然でない。そのため、上記特許文献１の電子楽器では、ピストン体の押下操作の感覚がトランペット等の自然楽器のものとは異質なものとなり、演奏操作感覚を自然楽器により近づけ良好にする上で改善の余地があった。
【０００６】
本発明は上記従来技術の問題を解決するためになされたものであり、その目的は、スイッチ操作のストローク設定及び反力設定の自由度を高めて、自然で良好な操作性を実現することができる電子楽器のピストン型スイッチ構造を提供することにある。
【０００７】
【課題を解決するための手段】
上記目的を達成するために本発明の請求項１の電子楽器のピストン型スイッチ構造は、押下操作部を有するピストン体と、前記ピストン体を往復動作可能に収容し、前記ピストン体の前記押下操作部方向に開口する開口端部を有するピストン動作室と、固定端部と、移動部と、前記固定端部及び前記移動部を接続する伸縮自在な伸縮部とが弾性部材で一体に形成されて成る弾性構成体と、前記弾性構成体の前記移動部に設けられた可動接点部と、前記可動接点部に対向する位置に配置された固定接点部とを有し、前記弾性構成体の前記固定端部を、前記ピストン動作室の前記開口端部近傍に固定すると共に、前記弾性構成体の前記移動部を、前記ピストン体の往方向における先端部に係合させ、前記ピストン体を押離操作したとき、前記弾性構成体の前記伸縮部が伸縮することによって、前記移動部が前記ピストン体に連動して往復動作し、前記可動接点部と前記固定接点部とが接離することでスイッチング動作がなされるように構成されたことを特徴とする。
【０００８】
この構成によれば、弾性構成体の固定端部がピストン動作室の開口端部近傍に固定され、弾性構成体の伸縮部が伸縮することによって、弾性構成体の移動部が、ピストン体の往方向における先端部に係合して連動して往復動作するので、ラバースイッチ等を使用する場合に比し、ピストン体のストロークを長くする等、自由な設定が容易で、自然な反力変化も設定容易である。よって、スイッチ操作のストローク設定及び反力設定の自由度を高めて、自然で良好な操作性を実現することができる。
【０００９】
【発明の実施の形態】
以下、本発明の実施の形態を図面を参照して説明する。
【００１０】
（第１の実施の形態）
図１は、本発明の第１の実施の形態に係るピストン型スイッチ構造が適用される電子楽器の側面図である。本楽器は、トランペットと同様の形状、操作にて、楽音をトランペットのような音色で電気的に発生させるように構成される。
【００１１】
同図に示すように、本楽器は、本体１の奏者側にマウスピース２、朝顔側にスピーカ４を備える。上管部７の上方から下管部８にかけて３つのピストン型スイッチＰＳＴＡ（ＰＳＴＡ（１）〜ＰＳＴＡ（３））が設けられ、その上管部７と下管部８との間は把持部３となっている。各ピストン型スイッチＰＳＴＡ（１）〜ＰＳＴＡ（３）には、奏者によって押下操作されるピストン体１１（１）〜（３）が設けられる。また、本体１の側面には、音色等を設定するための各種操作ボタン５及び各種情報を表示する表示部６が設けられる。
【００１２】
図示はしないが、本楽器は、上記特許文献１と同様に、アンブシュアにかかわるパラメータとして、マウスピース６に対する奏者の唇の押圧力ＰＬ及び奏者の呼気圧ＰＢを検出する検出手段を備えている。また、３つのピストン型スイッチＰＳＴＡの押下操作は独立して検出される。これらの検出結果に基づいて、不図示の楽音制御部による制御で、スピーカ４から楽音が発生する。その際、発音音高は、ピストン型スイッチＰＳＴＡの操作状態（８通りの組み合わせがある）と、押圧力ＰＬによる倍音の切り替えとにより一義的に定まり、呼気圧ＰＢが所定値以上となったことを発音トリガとして、呼気圧ＰＢに応じた音量レベルにて楽音が発生する。
【００１３】
図２は、ピストン型スイッチＰＳＴＡの構造を示す本楽器の部分縦断面図であり、その一部が拡大図で併記されている。
【００１４】
ピストン体１１は側面視略Ｔ時状に形成され、押下操作部１１ａ、軸部１１ｂ及び軸部１１ｂの途中に設けられる鍔部１１ｄが、樹脂等で一体に形成される。上管部７から把持部３にかけて、ピストン体１１用の往復動作室である円筒状のシリンダ部ＣＹＬＡが形成され、シリンダ部ＣＹＬＡ内に、ピストン体１１の軸部１１ｂが往復動作可能に挿通されている。ピストン体１１の軸部１１ｂには、ゴム製等の帯状弾性構成体１４が係合している。
【００１５】
シリンダ部ＣＹＬＡの開口端部に相当する位置において、上管部７には、平面視円形の環状突設部７ａが上方に向かって突設されている。帯状弾性構成体１４は、平らな紐状に形成され、その両端部である固定部１４ａと湾曲した先端部１４ｃとの間の部分が、伸縮性に富む伸縮部１４ｂとなっている。そして、帯状弾性構成体１４の両固定部１４ａが、奏者からみて環状突設部７ａの前後部分にそれぞれ固定されると共に、先端部１４ｃが、ピストン体１１の先端部１１ｃから下方への押圧力を受けるようになっている。
【００１６】
環状突設部７ａには、フェルト等で構成される緩衝材１３が上部に固着されたガイド蓋１２が被さっている。ガイド蓋１２には、ピストン体１１の摺動軸部１１ｂａが摺動するためのガイド穴１２ｂが形成されると共に、外周部下部には、鉤部１２ａが形成される。なお、ピストン体１１の摺動軸部１１ｂａをガイド蓋１２のガイド穴１２ｂに貫通させる際に、鍔部１１ｄが通過するための図示しないスリットが、ガイド蓋１２及び緩衝材１３に形成されている。摺動軸部１１ｂａをガイド穴１２ｂに貫通させると共に、帯状弾性構成体１４の両固定部１４ａを環状突設部７ａに係止させた状態で、ガイド蓋１２を下方に押し込むと、その鉤部１２ａと環状突設部７ａとの間に固定部１４ａが挟着されて固定状態になると同時に、鉤部１２ａが環状突設部７ａに嵌合され、ガイド蓋１２が上管部７に対して固定される。
【００１７】
また、環状突設部７ａの上部には突起部７ａａが設けられる。突起部７ａａは、環状突設部７ａの円周方向において帯状弾性構成体１４の固定部１４ａの両側に隣接する位置に突設される。さらに、突起部７ａａに対応する不図示の凹部がガイド蓋１２に形成されており、突起部７ａａが上記不図示の凹部に嵌合することで、ガイド蓋１２の環状突設部７ａに対する回転止め機能が果たされると共に、２つの突起部７ａａで両固定部１４ａの回転方向への移動が規制されるようになっている。
【００１８】
図２に示す非操作状態においては、鍔部１１ｄがガイド蓋１２と当接することでピストン体１１の上限位置が規定され、その位置では、帯状弾性構成体１４の先端部１４ｃは、ピストン体１１の先端部１１ｃから軽い押圧力を常に受け、伸縮部１４ｂが少し伸びて僅かに緊張し、帯状弾性構成体１４全体がＶ字状を呈している。
【００１９】
また、帯状弾性構成体１４の先端部１４ｃは肉厚に形成され、その下面には、可動接点１５が取り付けられている。下管部８の底部には、基板１７が下管部８の位置決め部８ａで位置決めされて配置される。基板１７上には、可動接点１５に対向して固定接点１６が設けられる。可動接点１５と固定接点１６とが接触、離間することで、ピストン型スイッチＰＳＴＡ（１）のスイッチオン／オフのスイッチング動作がなされる。ピストン型スイッチＰＳＴＡ（２）、（３）についても、ピストン型スイッチＰＳＴＡ（１）と同様に構成される。
【００２０】
かかる構成において、ピストン体１１の押下操作部１１ａが指で押下操作されると、ピストン体１１の摺動軸部１１ｂａがガイド蓋１２のガイド穴１２ｂにガイドされてピストン体１１が下降する。すると、帯状弾性構成体１４の先端部１４ｃがピストン体１１の先端部１１ｃから下方への押圧力を受け、伸縮部１４ｂが伸びることで、ピストン体１１が下降するのに連動して先端部１４ｃが下降する。その際、伸縮部１４ｂの伸長によって押下操作の反力が徐々に大きくなり、ラバースイッチが介在する場合に比し、操作感覚が自然である。
【００２１】
ここで、非操作状態において、ピストン体１１の押下操作部１１ａと緩衝材１３との距離Ｄ１、緩衝材１３の厚みＤ２、可動接点１５と固定接点１６との距離Ｄ３の関係は、（Ｄ１＋Ｄ２）＞Ｄ３＞Ｄ１となるように設定されている。なお、距離Ｄ３は距離Ｄ１より僅かに大きい。従って、まず、押下操作部１１ａの下端部が緩衝材１３に当接して緩衝が開始された直後に、可動接点１５が固定接点１６に接触し、スイッチオンとなる。次に、押下操作が解除されると、伸縮部１４ｂが縮むことで非操作状態に復帰する。
【００２２】
本実施の形態によれば、ピストン型スイッチＰＳＴＡは、ラバースイッチを使用することなく、ピストン体１１が、ほぼ帯状弾性構成体１４の弾性力のみによって反力を得るように構成したので、ラバースイッチを使用した場合に比し、ピストン体１１のストロークを長く設定する等、自由な設定が容易であり、しかも、ラバースイッチによる反力が加わることがないので、往復動作行程において比較的線形な反力変化が得られ、反力変化が自然であることから、ピストン体１１の押下操作の感覚が自然楽器のトランペットのものに近似される。よって、スイッチ操作のストローク設定及び反力設定の自由度を高めて、自然で良好な操作性を実現することができる。
【００２３】
また、（Ｄ１＋Ｄ２）＞Ｄ３＞Ｄ１となるように設定されたので、可動接点１５と固定接点１６との当接の衝撃を和らげ、安定したスイッチング動作を確保することができる。さらに、ガイド蓋１２が、ガイド穴１２ｂによりピストン体１１の往復動作のガイド機能を果たすと共に、シリンダ部ＣＹＬＡの開口端部を塞ぐ蓋体としての機能をも果たすので、構成が簡単である。また、帯状弾性構成体１４は弾性部材で一体に構成したので、金属スプリングで反力を得る構成に比し、メカノイズが発生しにくく、部品点数も少なくて構成が簡単である。
【００２４】
なお、楽音発生の制御手法や、楽音制御に用いる検出パラメータついては、例示したものに限るものではなく、ピストン型スイッチが適用される電子楽器であれば、本発明を適用可能である。また、ピストン型スイッチの適用対象も、音高指定のためのスイッチに限定されるものではない。
【００２５】
（第２の実施の形態）
本発明の第２の実施の形態では、ピストン型スイッチに関する構成のみが第１の実施の形態と異なり、ピストン型スイッチＰＳＴＡに代えてピストン型スイッチＰＳＴＢを備える。楽音制御手法及びその他の構成は、第１の実施の形態と同様である。従って、外観は、図１に示す通りであり、また、第１の実施の形態と同じ構成要素には同じ符号を付して説明する。
【００２６】
図３は、ピストン型スイッチＰＳＴＢの構造を示す本楽器の部分縦断面図である。図４は、図３のＡ−Ａ線に沿う部分断面図である。
【００２７】
ピストン型スイッチＰＳＴＢ（ＰＳＴＢ（１）〜ＰＳＴＢ（３））は、上管部７内及びそれより上方にかけて構成される。ピストン型スイッチＰＳＴＢは、上記したピストン体１１に相当するピストン体３１を備え、ピストン体３１は、押下操作部３１ａ、第１軸部３１ｂ、第２軸部３１ｃ及び鍔部３１ｄが、樹脂等で一体に形成され、さらに、第２軸部３１ｃの下端部に硬質ゴム等で成る駆動部材３８が取り付けられて構成される。
【００２８】
上管部７内に垂下して設けられた後述するシリンダ壁４０（４０Ｌ、４０Ｒ）によって、円筒状のシリンダ部ＣＹＬＢが画成され、シリンダ部ＣＹＬＢ内に、ピストン体３１の主に第２軸部３１ｃが往復動作可能に挿通されている。駆動部材３８には、ゴム製等の袋状弾性構成体３４が係合している。
【００２９】
シリンダ部ＣＹＬＢの開口端部に相当する位置において、上管部７には、平面視円形の環状突設部７ａ’が上方に向かって突設されている。袋状弾性構成体３４は、水平断面円形の袋型に形成され、その上端部である平面視円形の固定部３４ａと下端部である先端部３４ｃとの間の部分が、伸縮性に富む伸縮部３４ｂ（第１伸縮部３４ｂ１、第２伸縮部３４ｂ２）となっている。特に第２伸縮部３４ｂ２は蛇腹状に畳まれ、第１伸縮部３４ｂ１に比し伸縮率が高くなっており、第１伸縮部３４ｂ１に比し小さい力で伸び始めるようになっている。そして、袋状弾性構成体３４の固定部３４ａが、環状突設部７ａ’に固定されると共に、先端部３４ｃが、ピストン体３１の駆動部材３８から下方への押圧力を受けるようになっている。
【００３０】
環状突設部７ａ’には、ガイド蓋３２が被さっている。ガイド蓋３２の上部には、フェルト等で構成される緩衝材３３が固着される。ガイド蓋３２には、ピストン体３１の第１軸部３１ｂが摺動するためのガイド穴３２ｂが形成される。第１軸部３１ｂをガイド穴３２ｂに貫通させると共に、袋状弾性構成体３４の固定部３４ａを環状突設部７ａ’に係止させた状態で、ガイド蓋３２を環状突設部７ａ’の図示しない外側螺合部に螺合して固定することで、ガイド蓋３２と環状突設部７ａ’との間に固定部３４ａが挟着されて固定状態になる。
【００３１】
図３に示す非操作状態においては、鍔部３１ｄがガイド蓋３２と当接することでピストン体３１の上限位置が規定され、その位置では、袋状弾性構成体３４の先端部３４ｃは、ピストン体３１の駆動部材３８から軽い押圧力を常に受けている。
【００３２】
また、上管部７の底部には、基板３７が配置される。ここで、本体１は、金型成形により左右２つに分割して形成されたものを結合して構成され、上管部７については、図４に示すように、奏者からみて左側の上管部７Ｌ、及び右側の上管部７Ｒで成る。同図において、パーティングラインＰＬは、上管部７Ｌと上管部７Ｒとの合わせ面に相当する。シリンダ壁４０Ｌは上管部７Ｌと、シリンダ壁４０Ｒは上管部７Ｒとそれぞれ一体に形成される。基板３７はまず、上管部７Ｌの底部に位置決め部７Ｌｂ（図３参照）で位置決めされて載置され、基板固定用ネジ３９で固定されると共に、シリンダ壁４０Ｌの下端部に取り付けられたゴム製等の押さえ部材４１Ａ、４１Ｂで押し付けられている。
【００３３】
また、図３に示すように、袋状弾性構成体３４の先端部３４ｃには、可動接点３５が一体的に形成され、基板３７上には、可動接点３５に対向して固定接点３６が設けられている。可動接点３５と固定接点３６とが接触、離間することで、ピストン型スイッチＰＳＴＢ（１）のスイッチング動作がなされる。ピストン型スイッチＰＳＴＢ（２）、（３）についても、ピストン型スイッチＰＳＴＢ（１）と同様に構成される。
【００３４】
かかる構成において、ピストン体３１の押下操作部３１ａが指で押下操作されると、ピストン体３１の第１軸部３１ｂがガイド蓋３２のガイド穴３２ｂにガイドされてピストン体３１が下降し、袋状弾性構成体３４の先端部３４ｃがピストン体３１の駆動部材３８から下方への押圧力を受ける。すると、まず、第２伸縮部３４ｂ２が伸び始め、駆動部材３８からの押圧力がさらに大きくなると第１伸縮部３４ｂ１も伸び始め、ピストン体３１が下降するのに連動して先端部３４ｃが下降していく。その際、伸縮部３４ｂが２段階で伸びるので、ピストン体３１への反力が比較的ゆるやかに上昇し、操作感覚も一層自然である。
【００３５】
なお、非操作状態において、ピストン体３１の押下操作部３１ａと緩衝材３３との距離、緩衝材３３の厚み、可動接点３５と固定接点３６との距離の関係は、第１の実施の形態と同様に設定されており、スイッチングの動作態様も同様である。押下操作が解除されると、伸縮部３４ｂが縮むことで非操作状態に復帰する。
【００３６】
本実施の形態によれば、第１の実施の形態と同様の効果を奏するだけでなく、伸縮部３４ｂを、互いに伸縮特性の異なる第１、第２伸縮部３４ｂ１、３４ｂ２に分けて構成したので、往復動作の全行程において、自然な反力の設定が一層容易で、スイッチ操作性のさらなる向上、スイッチング動作の安定、及び耐久性の向上が期待できる。
【００３７】
なお、袋状弾性構成体３４の伸縮部３４ｂは、伸縮特性を異ならせた３段階以上の部位に分けて構成してもよい。
【００３８】
（第３の実施の形態）
本発明の第３の実施の形態では、第２の実施の形態に対してピストン体の構成のみが異なり、その他の点では第２の実施の形態と同様である。
【００３９】
図５は、第３の実施の形態に係るピストン型スイッチ構造におけるピストン体の断面図である。本ピストン体５０は、Ｔ字状部材５１、支持部材５２、緩衝用環状部材５４、駆動部材５５、ナット５６及び中心棒５３を含んで構成される。Ｔ字状部材５１は樹脂等で形成され、その上部が押下操作部となる。
【００４０】
中心棒５３は金属等、緩衝用環状部材５４は軟質ゴム等、駆動部材５５はＡＢＳ等の硬質ゴム等でそれぞれ構成され、中心棒５３に２色成形等によって取り付けられる。支持部材５２は樹脂等で構成され、鍔部５２ａが一体に形成されている。支持部材５２の内部にはさらに、雌ネジ部５２ｂ及びオイル層形成穴５２ｃが形成されている。中心棒５３は、支持部材５２のオイル層形成穴５２ｃを貫通しており、中心棒５３の雄ネジ部５３ａにナット５６が螺合されることで、中心棒５３が支持部材５２に対して固定状態となっている。
【００４１】
また、Ｔ字状部材５１の軸部には雄ネジ部５１ａが形成されており、雄ネジ部５１ａが支持部材５２の雌ネジ部５２ｂに螺合されることで、Ｔ字状部材５１が支持部材５２に対して固定される。中心棒５３は、オイル層形成穴５２ｃに対して遊嵌状態にあり、隙間Ｇ１が形成される。また、ナット５６には、不図示のスリットが形成されており、ナット５６の上方の空間Ｇ２と隙間Ｇ１とが連通している。隙間Ｇ１及び空間Ｇ２には、空気及び粘性を有するオイルが封入され、隙間Ｇ１にオイル層が形成される。
【００４２】
かかる構成において、ピストン体５０の押下操作によるスイッチング動作は第２の実施の形態と同様である。それに加えて、可動接点３５が固定接点３６に接触したとき、ピストン体５０において、主として緩衝用環状部材５４が縮むと共に、隙間Ｇ１のオイル層内のオイルが空間Ｇ２に逃げることで、スイッチオン時の衝撃が一層良好に吸収され、メカノイズも小さい。
【００４３】
本実施の形態によれば、第２の実施の形態と同様の効果を奏するだけでなく、主に緩衝用環状部材５４が緩衝機能を果たし、スイッチング動作の安定を図ることができる。
【００４４】
なお、図５に示すピストン体５０は、第１の実施の形態におけるピストン体１１に適用してもよい。
【００４５】
なお、上記各実施の形態において、シリンダ部ＣＹＬＡ、ＣＹＬＢは円筒状としたが、ピストン体を往復動作可能に収容する収容室であれば、円筒状でなくてもよい。また、帯状弾性構成体１４の固定部１４ａ、袋状弾性構成体３４の固定部３４ａは、押下操作部方向における収容室の端部近傍に何らかの方法で固定される構成であればよく、例示した固定態様に限定されるものではない。
【００４６】
なお、帯状弾性構成体１４、袋状弾性構成体３４の形状として、帯状、袋状を例示したが、これに限るものでなく、固定端部と可動接点が設けられる移動部とが伸縮部で接続され弾性部材で一体に形成された構成であればよい。また、第２の実施の形態において伸縮部を１段構成としてもよいし、逆に、第１の実施の形態に伸縮部の２段構成を適用してもよい。
【００４７】
なお、第１の実施の形態では、ピストン型スイッチＰＳＴＡは、上管部７から下管部８に亘る長さで構成され、第２の実施の形態では、ピストン型スイッチＰＳＴＢは、主に上管部７内に構成されたが、両者の長さは例示であり、逆にしてもよいし、上管部７から把持部３内の適当な位置までの範囲で構成してもよい。
【００４８】
なお、上記各実施の形態では、可動接点と固定接点とが接触、離間することでピストン型スイッチのスイッチング動作がなされるように構成したが、可動接点に代えて反射板を、固定接点に代えてフォトカプラを設け、それらの組み合わせで成る光センサにより押下動作を検出することで、スイッチング動作がなされるように構成してもよい。
【００４９】
なお、本発明は、トランペット型の電子楽器に限らず、ホルン、バスーン、コルネット、サキソホン型等の電子管楽器のピストンスイッチをはじめ、電子鍵盤楽器等における足操作型のピストンスイッチ等、各種電子楽器のピストン型スイッチ構造に適用可能である。
【００５０】
【発明の効果】
以上説明したように、本発明によれば、スイッチ操作のストローク設定及び反力設定の自由度を高めて、自然で良好な操作性を実現することができる。
【図面の簡単な説明】
【図１】本発明の第１の実施の形態に係るピストン型スイッチ構造が適用される電子楽器の側面図である。
【図２】第１の実施の形態に係るピストン型スイッチの構造を示す本楽器の部分縦断面図である。
【図３】第２の実施の形態に係るピストン型スイッチの構造を示す本楽器の部分縦断面図である。
【図４】図３のＡ−Ａ線に沿う部分断面図である。
【図５】第３の実施の形態に係るピストン型スイッチ構造におけるピストン体の断面図である。
【符号の説明】
７  上管部、  ７ａ  環状突設部（開口端部）、  １１、３１、５０  ピストン体、  １１ａ、３１ａ、５１  押下操作部、  ＣＹＬＡ、ＣＹＬＢ  シリンダ部（ピストン動作室）、  １２、３２  ガイド蓋（穴付き部材）、  １２ｂ、３２ｂ  ガイド穴、  １４  帯状弾性構成体（弾性構成体）、  ３４  袋状弾性構成体（弾性構成体）、  １４ａ、３４ａ  固定部（固定端部）、  １４ｂ、３４ｂ  伸縮部、  １４ｃ、３４ｃ  先端部（移動部）、  １５、３５  可動接点（可動接点部）、  １６、３６  固定接点（固定接点部）、  ＰＳＴＡ、ＰＳＴＢピストン型スイッチ
【図１】
2004286973.tif 000003
【図２】
2004286973.tif 000004
【図３】
2004286973.tif 000005
【図４】
2004286973.tif 000006
【図５】
2004286973.tif 000007